(57)【要約】    【課題】表示劣化を生じさせることなく小電力動作を実行することが可能な表示パネルの駆動方法を提供することを目的とするものである。    【解決手段】複数のサブフィールド各々のサスティン期間内においてそのサブフィールドの輝度重みに対応した発光回数だけ表示パネルの画素セル各々を発光させるにあたり、入力映像信号における輝度レベルに応じてサブフィールド各々に割り当てられている発光回数を変更する。    【選択図】図３
2008003464.tif 000002
【特許請求の範囲】
【請求項１】
複数の画素セルが形成されている表示パネルを、夫々が入力映像信号に基づく各画素毎の画素データに応じて前記画素セル各々を点灯セル状態及び消灯セル状態の内の一方の状態に設定するアドレス期間と前記点灯セル状態にある前記画素セルを発光させるサスティン期間とを含むサブフィールドの複数によって駆動する表示パネルの駆動方法であって、
前記サブフィールド各々の前記サスティン期間内においてそのサブフィールドの輝度重みに対応した発光回数だけ前記点灯セル状態にある前記画素セルを発光させる発光駆動行程と、
前記入力映像信号における輝度レベルに応じて前記サブフィールド各々に割り当てられている前記発光回数を変更する発光回数変更行程と、を備え、
前記発光回数変更行程では、前記サブフィールド各々に割り当てられている前記発光回数を減らすべき変更を行う場合には前記輝度重みが大なるサブフィールドに比して前記輝度重みが小なるサブフィールドにおける前記発光回数の低下率が小となるように前記発光回数の変更を行うことを特徴とする表示パネルの駆動方法。
【請求項２】
前記発光回数変更行程は、前記入力映像信号における平均輝度レベルが所定輝度よりも高い場合には低い場合に比して前記サブフィールド各々に割り当てるべき前記発光回数を少なくすることを特徴とする請求項１記載の表示パネルの駆動方法。
【請求項３】
前記平均輝度レベルが前記所定輝度よりも高い場合に前記サブフィールド各々に割り当てられる前記発光回数は３以上であることを特徴とする請求項２記載の表示パネルの駆動方法。
【請求項４】
複数の画素セルが形成されている表示パネルを、夫々が入力映像信号に基づく各画素毎の画素データに応じて前記画素セル各々を点灯セル状態及び消灯セル状態の内の一方の状態に設定するアドレス期間と前記点灯セル状態にある前記画素セルを発光させるサスティン期間とを含むサブフィールドの複数によって駆動する表示パネルの駆動方法であって、
前記サブフィールド各々の前記サスティン期間内においてそのサブフィールドの輝度重みに対応した発光回数だけ前記点灯セル状態にある前記画素セルを発光させる発光駆動行程と、
前記入力映像信号における輝度レベルに応じて前記サブフィールド各々に割り当てられている前記発光回数を変更する発光回数変更行程と、を備え、
前記発光回数変更行程では、前記サブフィールド各々に割り当てられている前記発光回数を減らすべき変更を行う場合には、前記表示パネルの周辺照度が所定照度よりも低い場合には高い場合に比して１フィールドに割り当てるべき前記発光回数の総数が小となると共に、前記輝度重みが大なるサブフィールドに比して前記輝度重みが小なるサブフィールドにおける前記発光回数の低下率が小となるように前記発光回数の変更を行うことを特徴とする表示パネルの駆動方法。
【請求項５】
前記発光回数変更行程は、前記入力映像信号における平均輝度レベルが所定輝度よりも高い場合には低い場合に比して前記サブフィールド各々に割り当てるべき前記発光回数を少なくすることを特徴とする請求項４記載の表示パネルの駆動方法。
【請求項６】
前記平均輝度レベルが前記所定輝度よりも高い場合に前記サブフィールド各々に割り当てられる前記発光回数は３以上であることを特徴とする請求項５記載の表示パネルの駆動方法。
【発明の詳細な説明】
【技術分野】
【０００１】
本発明は、複数の画素セルが配置された表示パネルの駆動方法に関する。
【背景技術】
【０００２】
近年、自発光型で発光輝度の高い表示装置としてプラズマディスプレイパネル（以下、ＰＤＰと称する）が脚光を浴びている。かかるＰＤＰを駆動する方法の一つとしてサブフィールド法が知られている。サブフィールド法に従ったＰＤＰの駆動では、１フィールド表示期間毎に、複数のサブフィールド各々において、ＰＤＰの各画素セルの状態を点灯セル状態及び消灯セル状態のいずれか一方に決定するアドレス行程と、点灯セル状態にある放電セルのみを、繰り返しサスティン放電させるサスティン行程とを実行する。尚、各サブフィールドのサスティン行程には、サスティン放電を実施させるべき回数として、そのサブフィールドの輝度重み付けに対応した回数が予め割り当てられている。かかる駆動によれば、１フィールド表示期間内において生起されたサスティン放電の総数に対応した輝度が視覚される。
【０００３】
又、近年、ＰＤＰの低消費電力化を図るべく、入力映像信号における平均輝度レベルに応じて、各サブフィールドに割り当てるべきサスティン放電の回数を、夫々所定の比率で増減させるようにした駆動方法が提案された（例えば、特許文献１参照）かかる駆動方法によると、入力映像信号の平均輝度レベルが高くなるほど、各サブフィールドに割り当てるべきサスティン放電の実施回数を減らすようにしているので、輝度重みが小なるサブフィールドではサスティン放電の実施回数が極めて少なくなる。この際、サスティン放電の実施回数が少なくなると、各画素セルにおける放電の開始タイミングのばらつきが大となり、隣接画素セル間での輝度差、或いは同一画素セルにおける各フィールド間において輝度差が生じ、表示品質が劣化するという問題が生じる。
【特許文献１】特開２００３−２９６９８号公報
【発明の開示】
【発明が解決しようとする課題】
【０００４】
本発明は、かかる問題を解決すべく為されたものであり、表示劣化を生じさせることなく小電力動作を実行することが可能な表示パネルの駆動方法を提供することを目的とするものである。
【課題を解決するための手段】
【０００５】
請求項１記載による表示パネルの駆動方法は、複数の画素セルが形成されている表示パネルを、夫々が入力映像信号に基づく各画素毎の画素データに応じて前記画素セル各々を点灯セル状態及び消灯セル状態の内の一方の状態に設定するアドレス期間と前記点灯セル状態にある前記画素セルを発光させるサスティン期間とを含むサブフィールドの複数によって駆動する表示パネルの駆動方法であって、前記サブフィールド各々の前記サスティン期間内においてそのサブフィールドの輝度重みに対応した発光回数だけ前記点灯セル状態にある前記画素セルを発光させる発光駆動行程と、前記入力映像信号における輝度レベルに応じて前記サブフィールド各々に割り当てられている前記発光回数を変更する発光回数変更行程と、を備え、前記発光回数変更行程では、前記サブフィールド各々に割り当てられている前記発光回数を減らすべき変更を行う場合には前記輝度重みが大なるサブフィールドに比して前記輝度重みが小なるサブフィールドにおける前記発光回数の低下率が小となるように前記発光回数の変更を行う。
【０００６】
又、請求項４記載による表示パネルの駆動方法は、複数の画素セルが形成されている表示パネルを、夫々が入力映像信号に基づく各画素毎の画素データに応じて前記画素セル各々を点灯セル状態及び消灯セル状態の内の一方の状態に設定するアドレス期間と前記点灯セル状態にある前記画素セルを発光させるサスティン期間とを含むサブフィールドの複数によって駆動する表示パネルの駆動方法であって、前記サブフィールド各々の前記サスティン期間内においてそのサブフィールドの輝度重みに対応した発光回数だけ前記点灯セル状態にある前記画素セルを発光させる発光駆動行程と、前記入力映像信号における輝度レベルに応じて前記サブフィールド各々に割り当てられている前記発光回数を変更する発光回数変更行程と、を備え、前記発光回数変更行程では、前記サブフィールド各々に割り当てられている前記発光回数を減らすべき変更を行う場合には、前記表示パネルの周辺照度が所定照度よりも低い場合には高い場合に比して１フィールドに割り当てるべき前記発光回数の総数が小となると共に、前記輝度重みが大なるサブフィールドに比して前記輝度重みが小なるサブフィールドにおける前記発光回数の低下率が小となるように前記発光回数の変更を行う。
【発明を実施するための最良の形態】
【０００７】
本発明においては、複数のサブフィールド各々のサスティン期間内においてそのサブフィールドの輝度重みに対応した発光回数だけ表示パネルの画素セル各々を発光させるにあたり、入力映像信号における輝度レベルに応じてサブフィールド各々に割り当てられている発光回数を変更する。この際、サブフィールド各々に割り当てられている発光回数を減らすべき変更を行う場合には輝度重みが大なるサブフィールドに比して輝度重みが小なるサブフィールドにおける前記発光回数の低下率が小となるように発光回数の変更を行う。これにより、輝度重みが最小となるサブフィールドに対して比較的多め（３回以上）の発光回数を割り当てることが可能となる。よって、各サブフィールドに割り当てられる発光回数が少なくなる小電力モード時においても、隣接画素セル間での輝度差、同一画素セルにおけるフレーム間での輝度差が小となり、表示品質の劣化が抑制される。
【実施例】
【０００８】
以下、本発明の実施例を図面を参照しつつ詳細に説明する。
【０００９】
図１は、表示パネルとしてＰＤＰを搭載したプラズマディスプレイ装置の概略構成を示す図である。
【００１０】
図１において、プラズマディスプレイパネルとしてのＰＤＰ１０には、２次元表示画面の縦方向（垂直方向）に夫々伸長している列電極Ａ1〜Ａmと、横方向（水平方向）に夫々伸長しており且つＸ及びＹ交互に配置されている行電極Ｘ1〜Ｘn及び行電極Ｙ1〜Ｙnが形成されている。互いに隣接する一対の行電極Ｘ及びＹにて、ＰＤＰ１０の１表示ライン分の表示を行う。すなわち、ＰＤＰ１０は、行電極Ｘ1及びＹ1からなる第１表示ライン、行電極Ｘ2及びＹ2からなる第２表示ライン、・・・、行電極Ｘn及びＹnからなる第ｎ表示ラインを備えるのである。これら第１〜第ｎ表示ラインと、列電極Ａ1〜Ａmとの間には放電ガスが封入された放電空間が設けられており、この放電空間を含む行電極と列電極との各交叉部に画素に対応した放電セルが形成される構造となっている。
【００１１】
Ａ／Ｄ変換器１は、入力映像信号をサンプリングしてこれを各画素に対応した例えば８ビットの画素データＰＤに変換して、これを画素駆動データ生成回路３及び輝度レベル検出回路２０の各々に供給する。
【００１２】
輝度レベル検出回路２０は、入力映像信号に対応した画素データＰＤに基づき、１フレーム分の画像の平均輝度レベルを算出し、その平均値を示す平均輝度信号ＡＹを駆動制御回路４に供給する。
【００１３】
外光センサ２１は、ＰＤＰ１０周辺の外光照度を検出し、その照度を示す外光照度信号ＬＬを駆動制御回路４に供給する。
【００１４】
画素駆動データ生成回路３は、上記画素データＰＤに基づき、各サブフィールドの画素データ書込行程（後述する）において、放電セル各々を点灯セル状態及び消灯セル状態の内のいずれに設定するのかを示す画素駆動データＧＤを生成する。すなわち、
駆動制御回路４は、図２に示す如きサブフィールド法に基づく発光駆動シーケンスに従って、１フレーム（１フィールド）表示期間毎にＮ個のサブフィールドＳＦ１〜ＳＦ(Ｎ)各々で、画素データ書込行程Ｗc及びサスティン行程Ｉcを順次実行する。尚、駆動制御回路４は、先頭のサブフィールドＳＦ１に限りリセット行程Ｒcを実行する。
【００１５】
先ず、リセット行程Ｒcにおいて、駆動制御回路４は、ＰＤＰ１０の全放電セルに対して、放電セル内に残存する壁電荷の量を初期化させるべき各種制御信号をＸ電極ドライバ７及びＹ電極ドライバ８に供給する。かかる制御信号に応じてＸ電極ドライバ７及びＹ電極ドライバ８は、ＰＤＰ１０の全ての行電極Ｘ及びＹに一斉にリセットパルスを印加する。リセットパルスの印加に応じて、ＰＤＰ１０の全放電セル内においてリセット放電が生起され、各放電セル内には所定量の電荷が形成される。
【００１６】
次に、各サブフィールドの画素データ書込行程Ｗcでは、駆動制御回路４は、ＰＤＰ１０の各放電セルを上記画素駆動データＧＤに応じた状態（点灯セル状態、消灯セル状態）に設定させるべき各種制御信号を発生して、アドレスドライバ６及びＹ電極ドライバ８に供給する。この際、Ｙ電極ドライバ８は、走査パルスを行電極Ｙ1、Ｙ2、Ｙ3、・・・・、Ｙn-1及びＹn各々に順次、択一的に印加する。一方、アドレスドライバ６は、かかる走査パルスの印加タイミングに同期させて、画素駆動データＧＤに応じたパルス電圧を有する画素データパルスを１表示ライン分ずつ列電極Ａ1〜Ａm各々に印加する。ここで、上記走査パルスと同時に例えば低電圧（０ボルト）の画素データパルスが印加された放電セル内ではアドレス放電が生起され、この放電セル内に残留していた壁電荷が消滅する。よって、この際、放電セルは消灯セル状態に設定される。一方、上記走査パルスと同時に高電圧の画素データパルスが印加された放電セル内では上記の如きアドレス放電は生起されない。よって、この放電セルは、その直前までの状態（点灯セル状態又は消灯セル状態）を維持する。
【００１７】
次に、各サブフィールドのサスティン行程Ｉcを実施するにあたり、駆動制御回路４は、先ず、図３に示すサスティン放電回数設定フローに従って、サブフィールドＳＦ１〜ＳＦ(Ｎ)各々のサスティン行程Ｉcにおいてサスティン放電を生起させるべき回数の設定を行う。
【００１８】
図３において、駆動制御回路４は、先ず、輝度レベル検出回路２０から供給された平均輝度信号ＡＹにて示される平均輝度、つまり入力映像信号による１フレーム画像の平均輝度が所定輝度ＹREF以上であるか否かを判定する（ステップＳ２）。ステップＳ２において平均輝度信号ＡＹが所定輝度ＹREFよりも低いと判定された場合、駆動制御回路４は、サブフィールドＳＦ１〜ＳＦ(Ｎ)各々のサスティン行程Ｉc各々において図４又は図５に示す如き通常モードに従った回数だけサスティン放電を生起させるべき制御信号をＸ電極ドライバ７及びＹ電極ドライバ８に供給する（ステップＳ２）。
【００１９】
一方、上記ステップＳ１において平均輝度信号ＡＹが所定輝度ＹREF以上であると判定された場合、駆動制御回路４は、次に、外光センサ２１から供給された外光照度信号ＬＬが所定照度ＬREF以上の照度であるか否かを判定する（ステップＳ３）。かかるステップＳ３において外光照度信号ＬＬが所定照度ＬREF以上であると判定された場合、駆動制御回路４は、サブフィールドＳＦ１〜ＳＦ(Ｎ)各々のサスティン行程Ｉc各々において図４に示す如き小電力モードＡに従った回数だけサスティン放電を生起させるべき制御信号をＸ電極ドライバ７及びＹ電極ドライバ８に供給する（ステップＳ４）。一方、上記ステップＳ３において、外光照度信号ＬＬが所定照度ＬREFよりも低いと判定された場合、駆動制御回路４は、サブフィールドＳＦ１〜ＳＦ(Ｎ)各々のサスティン行程Ｉc各々において図５に示す如き小電力モードＢに従った回数だけサスティン放電を生起させるべき制御信号をＸ電極ドライバ７及びＹ電極ドライバ８に供給する（ステップＳ５）。
【００２０】
駆動制御回路４は、上記ステップＳ１〜Ｓ５なる一連の動作を１フレーム（１フィールド）表示期間毎に実行する。
【００２１】
これにより、Ｘ電極ドライバ７及びＹ電極ドライバ８は、サブフィールドＳＦ１〜ＳＦ(Ｎ)各々のサスティン行程Ｉcにて、上記小電力モードＡ又はＢ、或いは通常モードにて示される回数分だけ行電極Ｘ及びＹ各々に交互に図６に示す如きサスティンパルスＩＰを印加する。すると、全放電セルの内で点灯セル状態に設定されている放電セルのみに、上記サスティンパルスＩＰが印加される度にサスティン放電が生起され、その放電に伴って放電セルが発光する。これにより、１フレーム（又は１フィールド）表示期間内において生起されたサスティン放電の総数に対応した輝度が視覚される。
【００２２】
ここで、図１に示すプラズマディスプレイ装置では、入力映像信号に基づく平均輝度（ＡＹ）が高い場合には低い場合に比して例えば図７に示す如き対応関係にて、１フレーム（又は１フィールド）表示期間内で印加すべきサスティンパルスの総数を減らすことにより、小電力化を図るようにしている。例えば、本実施例においては、図７に示す如く平均輝度信号ＡＹが所定輝度ＹREFよりも低い場合には、サスティンパルスの総数がＫ１となる通常モードに基づく駆動が為される。一方、かかる平均輝度信号ＡＹが所定輝度ＹREF以上である場合には、サスティンパルスの総数が上記Ｋ１よりも小であるＫ２となる小電力モードに基づく駆動が為される。
【００２３】
上記通常モードでは、Ｘ電極ドライバ７及びＹ電極ドライバ８は、サスティンパルス総数Ｋ１をサブフィールドＳＦ１〜ＳＦ（Ｎ）各々の輝度重みに応じて分配した、図４又は図５に示す如き回数分だけ、サブフィールドＳＦ１〜ＳＦ（Ｎ）各々のサスティン行程Ｉcにてサスティンパルスの印加を行う。
【００２４】
一方、小電力モードでは、Ｘ電極ドライバ７及びＹ電極ドライバ８は、サスティンパルス総数Ｋ２をサブフィールドＳＦ１〜ＳＦ（Ｎ）各々の輝度重みに応じて分配した回数分だけ、サブフィールドＳＦ１〜ＳＦ（Ｎ）各々のサスティン行程Ｉcにてサスティンパルスの印加を行う。すなわち、小電力モードでは、上記通常モードにおいて各サブフィールドに割り当てられているサスティン放電回数を各サブフィールド毎に夫々低減させた回数が、サブフィールドＳＦ１〜ＳＦ（Ｎ）各々に割り当てられるのである。
【００２５】
ここで、仮に、小電力モードでは、上記通常モードにて各サブフィールドに割り当てられている回数を夫々一定の比率、例えば（１／４）で低減させた回数が割り当てられているものとする。この際、Ｘ電極ドライバ７及びＹ電極ドライバ８は、上記の如きサスティンパルス総数Ｋ２をサブフィールドＳＦ１〜ＳＦ（Ｎ）各々の輝度重みに応じて分割した、
ＳＦ１：１
ＳＦ２：２
ＳＦ３：４
ＳＦ４：８
ＳＦ５：１２
・
・
・
なる回数分だけサブフィールドＳＦ１〜ＳＦ（Ｎ）各々のサスティン行程Ｉcにてサスティンパルスの印加を行う。よって、輝度重みの小なるサブフィールドＳＦ１及びＳＦ２各々のサスティン行程Ｉcにおいて印加されるサスティンパルスの数は、通常モードでは夫々、
ＳＦ１：４回
ＳＦ２：８回
であるが、小電力モードでは、
ＳＦ１：１回
ＳＦ２：２回
となる。
【００２６】
ここで、サスティン行程Ｉcの先頭部で生起されるサスティン放電は、それ以降に生起されるサスティン放電に比して、各放電セル毎の放電タイミングに大きなばらつきが生じる。例えば、図６に示す如く、サスティン行程Ｉcにおいて第１番目及び第２番目に夫々印加されるサスティンパルスＩＰ1及びＩＰ2によって生起される第１及び第２のサスティン放電は、第３番目のサスティンパルスＩＰ3によって生起される第３のサスティン放電に比して、各放電セル毎の放電タイミングのばらつきが大となる。すなわち、サスティン行程Ｉcの先頭部では、放電セル毎の放電タイミングのばらつきが大であることから、隣接放電セル間での輝度差、同一放電セルにおけるフレーム間での輝度差が大となり、サスティン放電に伴う発光が不安定な状態である。
【００２７】
ところが、サブフィールドＳＦ１では１回分、ＳＦ２では２回分のサスティン放電しか生起されないので、これらＳＦ１及びＳＦ２各々では発光が不安定なままサスティン動作が終了してしまう。
【００２８】
そこで、図１に示されるプラズマディスプレイ装置における小電力モードでは、各サブフィールドに割り当てるサスティン放電の回数を、図４又は図５の小電力モードＡ又はＢにて示される回数に夫々設定するようにしたのである。つまり、小電力モードＡ又はＢでは、通常モードにて各サブフィールドＳＦに割り当てられているサスティン放電回数を、輝度重みが小なるサブフィールドほど小なる低減率にて低減させたものを、サブフィールドＳＦ１〜ＳＦ（Ｎ）各々に割り当てるようにしたのである。
【００２９】
例えば、小電力モードＢでは、Ｘ電極ドライバ７及びＹ電極ドライバ８は、上記サスティンパルス総数Ｋ２をサブフィールドＳＦ１〜ＳＦ（Ｎ）各々の輝度重みに応じて分配した、図５に示す如き回数分だけ、サブフィールドＳＦ１〜ＳＦ（Ｎ）各々のサスティン行程Ｉcにてサスティンパルスの印加を行う。よって、小電力モードＢに基づく駆動によれば、輝度重みが小なるサブフィールドで生起されるサスティン放電の回数、つまり発光回数が、上述した如き全サブフィールドに亘り一定定比率で減少させるようにした小電力モードに比して多くなる。例えば、上述の如き一定比率で減少させるようにした小電力モードに基づく駆動によれば、サブフィールドＳＦ１において１回分のサスティン放電に伴う発光しか生起されないが、小電力モードＢに基づく駆動では、サブフィールドＳＦ１において３回分のサスティン放電が生起される。この際、図６に示す如く、第３番目に印加されたサスティンパルスＩＰ3による各放電セルの放電タイミングのばらつき幅Ｗ３は、第１及び第２番目に夫々印加されたサスティンパルスＩＰ1及びＩＰ2による各放電セルの放電タイミングのばらつき幅Ｗ１及びＷ２よりも小となる。これにより、各サブフィールドに割り当てられるサスティンパルスの回数、つまり発光回数が少なくなる小電力モード時においても、輝度重みが最小となるサブフィールドＳＦ１のサスティン行程Ｉcでは、その最後尾において最終的に各放電セルの放電タイミングのばらつきが小となる。よって、放電セル毎の放電タイミングのばらつきに伴う隣接放電セル間での輝度差、同一放電セルにおけるフレーム間での輝度差が小となり、表示品質の劣化が抑制されるのである。
【００３０】
ここで、ＰＤＰ１０周辺が明るい場合には、暗い場合に比して画像全体の輝度レベルを大にした方が見易くなる。そこで、図１に示されるプラズマディスプレイ装置では、小電力モードに基づく駆動を実施するにあたり、ＰＤＰ１０周辺の明るさが所定照度ＬREFより高い場合には、小電力モードＢに代わりこの小電力モードＢに比して各サブフィールドに割り当てられるサスティン放電回数が大なる小電力モードＡ（図４に示す）に基づく駆動を実施するようにしている。
【００３１】
尚、上記実施例においては、ＰＤＰ１０周辺の明るさを示す外光照度信号ＬＬに応じて、小電力モードＡに基づく駆動及び小電力モードＢに基づく駆動を択一的に実行するようにしているが、入力映像信号における平均輝度（ＡＹ）が所定輝度（ＹREF）以上である場合には外光照度に拘わらず、小電力モードＢに基づく駆動を実施するようにしても良い。
【００３２】
図８は、かかる駆動を実施する場合に駆動制御回路４において実施されるサスティン放電回数設定フローの一例を示す図である。
【００３３】
すなわち、駆動制御回路４は、先ず、輝度レベル検出回路２０から供給された平均輝度信号ＡＹにて示される平均輝度、つまり入力映像信号による１フレーム画像の平均輝度が所定輝度ＹREF以上であるか否かを判定する（ステップＳ１１）。ステップＳ１１において平均輝度信号ＡＹが所定輝度ＹREFよりも低いと判定された場合、駆動制御回路４は、サブフィールドＳＦ１〜ＳＦ(Ｎ)各々のサスティン行程Ｉc各々において図４又は図５に示す如き通常モードに従った回数だけサスティン放電を生起させるべき制御信号をＸ電極ドライバ７及びＹ電極ドライバ８に供給する（ステップＳ１２）。一方、上記ステップＳ１１において平均輝度信号ＡＹが所定輝度ＹREF以上であると判定された場合、駆動制御回路４は、サブフィールドＳＦ１〜ＳＦ(Ｎ)各々のサスティン行程Ｉc各々において図５に示す如き小電力モードＢに従った回数だけサスティン放電を生起させるべき制御信号をＸ電極ドライバ７及びＹ電極ドライバ８に供給する（ステップＳ１３）。
【００３４】
要するに、入力映像信号における平均輝度が所定輝度よりも低い場合には、図７に示す如きサスティンパルス総数Ｋ１を各サブフィールドの輝度重みに応じて分配した、上記通常モードにて示す回数分だけサブフィールドＳＦ１〜ＳＦ（Ｎ）各々のサスティン行程Ｉcにおいてサスティンパルスの印加を行う。一方、かかる平均輝度が所定輝度よりも高い場合には、上記通常モードにて各サブフィールドに割り当てられているサスティン放電回数を輝度重みが小なるサブフィールドほど小なる低減率にて低減させた、上記小電力モードＢにて示す回数分だけ、各サブフィールドのサスティン行程Ｉcにてサスティンパルスの印加を行うのである。
【図面の簡単な説明】
【００３５】
【図１】本発明による駆動方法に従って表示パネルとしてのプラズマディスプレイパネルを駆動するプラズマディスプレイ装置の概略構成を示す図である。
【図２】図１のＰＤＰ１０を階調駆動する際に用いられる発光駆動シーケンスの一例を示す図である。
【図３】サスティン放電回数設定フローを示す図である。
【図４】小電力モードＡ及び通常モードの各モードにおいてサブフィールドＳＦ１〜ＳＦ（Ｎ）各々に割り当てられるサスティンパルスの印加回数を示す図である。
【図５】小電力モードＢ及び通常モードの各モードにおいてサブフィールドＳＦ１〜ＳＦ（Ｎ）各々に割り当てられるサスティンパルスの印加回数を示す図である。
【図６】サスティン行程Ｉcの先頭部において行電極Ｘ及びＹに印加されるサスティンパルスと、各サスティンパルスに応じて生起される放電セルの放電タイミングとを表す図である。
【図７】入力映像信号に基づく１フレーム画像における平均輝度と、１フレーム（又は１フィールド）表示期間内で印加すべきサスティンパルスの総数との対応関係を示す図である。
【図８】サスティン放電回数設定フローの他の一例を示す図である。
【符号の説明】
【００３６】
４      駆動制御回路
７      Ｘ行電極ドライバ
８      Ｙ行電極ドライバ
１０    ＰＤＰ
２０    輝度レベル検出回路
２１    外光センサ
【図１】
2008003464.tif 000003
【図２】
2008003464.tif 000004
【図３】
2008003464.tif 000005
【図４】
2008003464.tif 000006
【図５】
2008003464.tif 000007
【図６】
2008003464.tif 000008
【図７】
2008003464.tif 000009
【図８】
2008003464.tif 000010